(57)【特許請求の範囲】
【請求項１】
光学素子を保持する光学素子ホルダであって、
前記光学素子が搭載される搭載面と、
前記搭載面を有する部分に繋がる部分の折り返しによって得られ、前記搭載面に搭載される前記光学素子の位置決めに使用される位置決め壁と、
前記位置決め壁を形成する部分に対して折り返された部分であって、前記搭載面に向かう方向に弾性変形可能なバネ部と、
前記バネ部が前記搭載面に向かう方向に変形する量を規制するリブと、
を備える、光学素子ホルダ。
【請求項２】
前記搭載面を有する第１の部分と、
前記第１の部分に対して折り返されて前記第１の部分に接触状態で重ねられることにより、前記位置決め壁を形成する第２の部分と、
前記第２の部分に対して折り返されることにより前記バネ部を形成する第３の部分と、
を備える板金からなる、請求項１に記載の光学素子ホルダ。
【請求項３】
前記リブは、前記第２の部分の一部を折り曲げて形成されている、請求項２に記載の光学素子ホルダ。
【請求項４】
前記光学素子の回転調整が行われる際に、先端が回転中心として使用される略Ｖ字状の凸部を備える、請求項１から３のいずれかに記載の光学素子ホルダ。
【請求項５】
前記凸部と対向する位置に設けられ、前記回転調整用の治具と係合する治具用係合部を更に備える、請求項４に記載の光学素子ホルダ。
【請求項６】
前記光学素子の回転調整が行われる際に、回転量を規制するストッパー部を備える、請求項１から５のいずれかに記載の光学素子ホルダ。
【請求項７】
請求項１から６のいずれかに記載の光学素子ホルダと、
前記光学素子ホルダが取り付けられる取付部と、
を備える、光ピックアップ。
【請求項８】
前記光学素子ホルダには、前記光学素子の回転調整が行われる際に、先端が回転中心として使用される略Ｖ字状の凸部が設けられ、
前記取付部の底面には、前記凸部と係合する略Ｖ字状の溝部が形成されている、請求項７に記載の光ピックアップ。
【請求項９】
前記光学素子が回折格子である、請求項７又は８に記載の光ピックアップ。
【発明の詳細な説明】
【技術分野】
【０００１】
本発明は、例えば回折格子（グレーティング）等の光学素子を保持する光学素子ホルダに関する。また、本発明は、そのような光学素子ホルダを備える光ピックアップに関する。
【背景技術】
【０００２】
従来、光ピックアップの光学系には、光源から出射された光を分割して光ディスク上に複数の光スポットが形成されるように、回折格子が配置されることがある（例えば、特許文献１〜４参照）。この回折格子の存在により、例えば３ビーム法やＤＰＰ（Differential Push-Pull）法等を用いてトラッキングエラー信号を生成することが可能になる。
【０００３】
この回折格子は、上記複数の光スポットの位置が狙いの位置となるように回転調整が行われた上で、光ピックアップのベース（光学台）に対して固定されるのが一般的である。
【０００４】
なお、最近ではブルーレイディスク（以下、ＢＤと記載する）のような高容量の情報を記録できる光ディスクが実用化されているが、このＢＤ対応の光ピックアップに備えられる回折格子は、現状、樹脂ではなくガラスで形成されることが多い。回折格子がガラスで形成される場合には、その形状が限られてしまうために、回折格子自体を回転させるのが難しい。このため、回折格子をホルダ（光学素子ホルダ）で保持し、ホルダを回転することによって回折格子の回転調整を行うのが一般的となる。
【０００５】
ここで、回折格子をホルダで保持して光ピックアップのベースに取り付ける場合の従来の構成例について説明する。図１１は、従来の光ピックアップにおいて、回折格子をベースに取り付ける前の状態を示す概略斜視図である。図１２は、従来の光ピックアップにおいて、回折格子をベースに取り付けた状態を示す概略斜視図である。
【０００６】
図１１に示すように、従来の光ピックアップにおいては、回折格子１０１を保持するホルダとして、略円柱状の樹脂製ホルダ１０２が用いられる。回折格子１０１は、このホルダ１０２の略中央部に接着剤等を用いて固着される。回折格子１０１を保持したホルダ１０２は、光ピックアップのベース１０３に設けられる略円筒状の収容空間１０３ａに収容される。
【０００７】
収容空間１０３ａに収容されたホルダ１０２は、図１２に示すように、ホルダ１０２の背後に配置されるスプリング１０４によって、ベース１０３の当て面１０３ｂ（図１１参照）に押し付けられる。すなわち、ホルダ１０２は、スプリング１０４の作用によって、収容空間１０３ａに収容された状態で保持される。ただし、上述のように回折格子１０１は回転調整が必要となる。このために、スプリング１０４は、当て面１０３ｂに押し付けられたホルダ１０２の回転調整が行えるように、その付勢力が調整されている。
【０００８】
図１１に示すように、ホルダ１０２には調整治具を差し込む調整溝１０２ａが形成されている。また、図１１及び図１２に示すように、光ピックアップのベース１０３には調整治具を差し込むための切り欠き１０３ｃが形成されている。このため、収容空間１０３ａに収容されてスプリング１０４によって当て面１０３ｂに押し付けられたホルダ１０２は、調整治具を用いて回転調整を行える。ホルダ１０２は、調整治具を用いた回転調整が行われた後に、ベース１０３に対して動かないように接着剤等を用いて固定される。この接着剤等によるホルダ１０２の固定によって、回折格子１０１のベース１０３への取り付けが完了する。
【先行技術文献】
【特許文献】
【０００９】
【特許文献１】特開２００９−１６００６号公報
【特許文献２】特開２００７−２４２２０３号公報
【特許文献３】特開平２−２１８０２８号公報
【特許文献２】実開昭６３−６５２３号公報
【発明の概要】
【発明が解決しようとする課題】
【００１０】
しかしながら、従来の構成では、回折格子を光ピックアップのベースに取り付けるにあたって、ホルダに加えてスプリングが必要となる。部品点数が多いと作業性が悪く、更に低コスト化の妨げとなる。このために、回折格子は、スプリングを使用することなく、ホルダ（回折格子を保持する）のみを用いて光ピックアップのベースに取り付けられることが望まれる。
【００１１】
このため、本出願人は、回折格子を保持するホルダ（光学素子ホルダ）として、スプリング機能を一体的に備えたものの使用を検討している。しかしながら、このような光学素子ホルダにおいては、光学素子ホルダを光ピックアップのベースに取り付ける際や、リワーク（調整のやり直し）の際にバネ部に大きな力が加わり、バネ部が塑性変形して使い物にならなくなることがあった。
【００１２】
以上の点に鑑みて、本発明の目的は、回転調整が必要な光学素子に対して好適な光学素子ホルダを提供することである。詳細には、バネ部（スプリング機能）を備えるとともに、バネ部の塑性変形が起こり難い光学素子ホルダを提供することである。また、本発明の他の目的は、そのような光学素子ホルダが使用されることにより、製造コストの抑制を図り易い光ピックアップを提供することである。
【課題を解決するための手段】
【００１３】
上記目的を達成するために本発明の光学素子ホルダは、光学素子を保持する光学素子ホルダであって、前記光学素子が搭載される搭載面と、前記搭載面に向かう方向に弾性変形可能なバネ部と、前記バネ部が前記搭載面に向かう方向に変形する量を規制するリブと、を備える。
【００１４】
本構成によれば、光学素子ホルダがバネ部を備えているために、従来のようにホルダの他にスプリングを用意する必要がなく、コスト面及び作業性の面で有利となる。また、バネ部の変形量を規制するリブが設けられているために、作業時にバネ部が塑性変形を起こす可能性を低減できる。
【００１５】
上記構成の光学素子ホルダは、前記搭載面を有する第１の部分と、前記第１の部分に対して折り返されて前記第１の部分に接触状態で重ねられることにより、前記搭載面に搭載される前記光学素子の位置決めに使用される位置決め壁を形成する第２の部分と、前記第２の部分に対して折り返されることにより前記バネ部を形成する第３の部分と、を備える板金からなる、のが好ましい。なお、この構成においては、前記リブは、前記第２の部分の一部を折り曲げて形成されていることとしてもよい。
【００１６】
本構成は、板金加工によって光学素子ホルダが得られる構成であり、バネ部や塑性変形を防止するためのリブをホルダに一体的に設け易い。また、本構成では、板金の折り返しによって位置決め壁を得る構成であり、光学素子ホルダの形状を簡単なものとし易い。
【００１７】
上記構成の光学素子ホルダは、前記光学素子の回転調整が行われる際に、先端が回転中心として使用される略Ｖ字状の凸部を備えるのが好ましい。そして、この構成の光学素子ホルダは、前記凸部と対向する位置に設けられ、前記回転調整用の治具と係合する治具用係合部を更に備えるのが好ましい。これにより、光学素子の回転調整を精度良く行うことが可能になる。
【００１８】
上記構成の光学素子ホルダは、前記光学素子の回転調整が行われる際に、回転量を規制するストッパー部を備えることとしてもよい。本構成によれば、必要以上に光学素子を回転してしまうことがなく、調整作業を迅速に行える。
【００１９】
また、上記目的を達成するために本発明の光ピックアップは、上記構成の光学素子ホルダと、前記光学素子ホルダが取り付けられる取付部と、を備える。本構成によれば、回転調整が必要な光学素子を、少ない部品点数で光ピックアップの取付部（ベースに設けられる）に取り付けられ、光ピックアップの低コスト化を図れる。また、本構成は、光ピックアップの組み立て時に光学素子ホルダが使い物にならないという事態を招く可能性が低い点からも、光ピックアップの低コスト化を図り易いと言える。
【００２０】
上記構成の光ピックアップにおいて、前記光学素子ホルダには、前記光学素子の回転調整が行われる際に、先端が回転中心として使用される略Ｖ字状の凸部が設けられ、前記取付部の底面には、前記凸部と係合する略Ｖ字状の溝部が形成されているのが好ましい。本構成によれば、光学素子の回転調整が行い易く、光学素子を取り付け後に、温度変化や衝撃等によって光学素子が位置ズレを起こす可能性を低く抑えることができる。
【００２１】
上記構成の光ピックアップにおいて、前記光学素子は回折格子であってもよい。光ピックアップに備えられる回折格子は回転調整が必要な場合が多く、本構成は、本発明の好適な構成例である。
【発明の効果】
【００２２】
本発明によれば、回転調整が必要な光学素子に対して好適な光学素子ホルダを提供できる。また、本発明によれば、そのような光学素子ホルダが使用されることにより、製造コストの抑制を図り易い光ピックアップを提供できる。
【図面の簡単な説明】
【００２３】
【図１】本実施形態の光ピックアップの構成を示す概略平面図
【図２】本実施形態の光ピックアップの光学構成を示す概略平面図
【図３】本実施形態の回折格子ホルダの構成を示す概略斜視図
【図４】本実施形態の回折格子ホルダの構成を示す正面図で、回折格子が取り付けられた状態を示す図
【図５】本実施形態の回折格子ホルダの構成を示す概略側面図
【図６】本実施形態の回折格子ホルダの構成を示す展開図
【図７】本実施形態の光ピックアップにおける、回折格子ホルダが取り付けられる取付部の構成を示す概略斜視図
【図８】図７に示す取付部に回折格子ホルダが収容された状態を示す概略斜視図
【図９】本実施形態の光ピックアップにおける、回折格子ホルダと取付部の溝部との関係を示した模式図
【図１０】本実施形態の回折格子ホルダに設けられる塑性変形防止リブの作用を説明するための図
【図１１】従来の光ピックアップにおいて、回折格子をベースに取り付ける前の状態を示す概略斜視図
【図１２】従来の光ピックアップにおいて、回折格子をベースに取り付けた状態を示す概略斜視図
【発明を実施するための形態】
【００２４】
以下、本発明の光学素子ホルダ及び光ピックアップの実施形態について、図面を参照しながら説明する。なお、以下においては、本発明の光学素子ホルダが回折格子を保持するホルダ（回折格子ホルダ）であり、この回折格子ホルダが光ピックアップに適用される場合を例に説明する。
【００２５】
図１は、本実施形態の光ピックアップの構成を示す概略平面図で、図１（ａ）は光ピックアップの上面図、図１（ｂ）は光ピックアップの側面図である。なお、図１（ｂ）は、図１（ａ）に示す矢印Ａに沿って見た図である。また、図１（ｂ）には、理解を容易とするために、光ディスクＤが併せて示されている。
【００２６】
図１に示すように、本実施形態の光ピックアップ１は、回折格子を含む複数の光学部材が搭載されるピックアップベース１０と、ピックアップベース１０上に固定配置される対物レンズアクチュエータ２０と、を備える構成となっている。
【００２７】
ピックアップベース１０の左右の端部には軸受け部１０ａ、１０ｂが設けられている。ピックアップベース１０は、この軸受け部１０ａ、１０ｂによって、光ディスク装置（光ディスクＤの再生や記録を行うための装置）に設けられるガイドシャフトＧＳ（図１（ａ）に破線で示す）に摺動可能に支持されることになる。光ディスク装置に設けられるガイドシャフトＧＳは、光ディスクの半径方向（ラジアル方向；Ｒａｄ方向）に延びるように配置される。ガイドシャフトＧＳに対して摺動可能とされる光ピックアップ１は、回転する光ディスクＤの所望のアドレスにアクセスして情報の読み取りや書き込みを行うことができる。
【００２８】
対物レンズアクチュエータ２０は、光ピックアップ１の光学系に備えられる対物レンズ１７をフォーカス方向（光ディスクＤの情報記録面ＲＳに垂直な方向）及びトラッキング方向（Ｒａｄ方向と同じ方向）に移動可能とする装置である。光ピックアップ１においては、情報の読み取りや書き込みを行う際に、対物レンズ１７の焦点位置が常に光ディスクＤの情報記録面ＲＳに合うようにフォーカシング制御を行う必要がある。また、光ピックアップ１においては、情報の読み取りや書き込みを行う際に、対物レンズ１７によって光ディスクＤの情報記録面ＲＳに集光される光スポットの位置が、光ディスクＤのトラックに常に追随するようにトラッキング制御を行う必要がある。対物レンズアクチュエータ２０は、これらのフォーカシング制御及びトラッキング制御を行う際に駆動される。
【００２９】
なお、対物レンズアクチュエータ２０は、対物レンズ１７を保持するレンズホルダ２０ａを有し、レンズホルダ２０ａをワイヤ２０ｂで揺動可能に支持する構成のものである。そして、対物レンズアクチュエータ２０は、コイル及び磁石を利用して発生させた力でレンズホルダ２０ａとともに対物レンズ１７を動かすものである。このようなタイプの対物レンズアクチュエータは公知であるので、ここでは、詳細な説明は省略する。
【００３０】
図２は、本実施形態の光ピックアップの光学構成を示す概略平面図である。半導体レーザ１１は、光ピックアップ１が対応する（情報の読み取りや書き込みを行う）光ディスクＤの種類によって、その種類が決まる。例えば、光ピックアップ１がＢＤ対応であれば、半導体レーザ１１としては、波長４０５ｎｍ帯のレーザ光を出射するものが使用される。
【００３１】
半導体レーザ１１から出射されたレーザ光は、回折格子１２（本発明の光学素子の一例）に送られる。回折格子１２は、入射したレーザ光を主光と２つの副光とに分ける。このため、半導体レーザ１１から出射されたレーザ光は３つの光に分けられて光ディスクＤに至ることになる。本実施形態では、ＤＰＰ法によるトラッキングエラー信号が得られるように、光ピックアップ１の光学系中に回折格子１２を配置している。なお、ＤＰＰ法によってトラッキングエラー信号を得る方法は公知であるために、その説明は省略する。
【００３２】
回折格子１２から出射されたレーザ光は、偏光ビームスプリッタ１３に送られる。偏光ビームスプリッタ１３は、半導体レーザ１１から出射されたＳ偏光（直線偏光の一例であり、これに限定される趣旨ではない）を反射する。偏光ビームスプリッタ１３で反射されたレーザ光は、１／４波長板１４で円偏光に変換される。１／４波長板１４から出射されるレーザ光は、コリメートレンズ１５を透過後、立ち上げミラー１６で反射される。立ち上げミラー１６で反射されたレーザ光は、立ち上げミラー１６の上方にある対物レンズ１７へと至る。対物レンズ１７は、入射したレーザ光を光ディスクＤの情報記録面ＲＳに集光する機能を有する。
【００３３】
対物レンズ１７によって情報記録面ＲＳに集光された後、情報記録面ＲＳで反射された反射光（戻り光）は、対物レンズ１７を通過後、立ち上げミラー１６で反射される。そして、戻り光は、コリメートレンズ１５を通過し、１／４波長板１４でＰ偏光に変換されて偏光ビームスプリッタ１３を透過する。偏光ビームスプリッタ１３を通過した戻り光は、シリンドリカル面を含むセンサーレンズ１８を通過後、光検出器１９へと集光される。
【００３４】
センサーレンズ１８にシリンドリカル面を設けて非点収差が与えられるように構成しているのは、非点収差法を用いてフォーカスエラー信号を生成できるようにするためである。また、光検出器１９は、受光した光信号を電気信号に変換する光電変換手段として機能する。光検出器１９から出力された電気信号は、図示しない信号処理部に送られ、信号処理部において、再生信号、フォーカスエラー信号、トラッキングエラー信号等に変換される。フォーカスエラー信号は上述のフォーカシング制御を行うために使用され、トラッキングエラー信号は上述のトラッキング制御を行うために使用される。
【００３５】
なお、半導体レーザ１１、回折格子１２、偏光ビームスプリッタ１３、１／４波長板１４、コリメートレンズ１５、立ち上げミラー１６、センサーレンズ１８、及び、光検出器１９は、ピックアップベース１０上に搭載される。また、対物レンズ１７は、対物レンズアクチュエータ２０のレンズホルダ２０ａに搭載されて、ピックアップベース１０の上に配置される。
【００３６】
また、コリメートレンズ１５は、光軸方向Ｍ（図２の左右方向）に移動可能となっており、その位置はレイヤージャンプ等に応じて適宜移動される。これにより、光ピックアップ１においては、球面収差の影響が適切に抑制される。
【００３７】
ピックアップベース１０に搭載される回折格子１２は、ホルダ（回折格子ホルダ）に保持された状態でピックアップベース１０に搭載される。そして、この回折格子ホルダを用いる構成において、本実施形態の光ピックアップ１は特徴を有する。以下、この特徴点（特徴的な構成）について説明する。
【００３８】
図３は、本実施形態の回折格子ホルダの構成を示す概略斜視図である。図４は、本実施形態の回折格子ホルダの構成を示す正面図で、回折格子が取り付けられた状態を示す図である。図５は、本実施形態の回折格子ホルダの構成を示す概略側面図である。
【００３９】
光ピックアップ１が備える回折格子ホルダ３０は板金を加工してなる。図３に示すように、回折格子ホルダ３０は、回折格子１２が搭載される搭載面３１と、板金の折り返しによって得られ、搭載面３１に搭載された回折格子１２の位置決めに使用される位置決め壁３２と、位置決め壁３２を得るための折り返しとは異なる折り返しによって得られ、載置面３１に向かう方向に弾性変形可能なバネ部３３と、を備える。
【００４０】
図４に示すように、搭載面３１に搭載される回折格子１２は、平面視略平行四辺形状の四角柱となっている。回折格子１２は、例えばガラスで形成され、略平行四辺形をなす２つの面の一方側に回折パターンが形成されている。回折格子１２は、４つの側面のうち、隣り合う２つの側面が位置決め壁３２に当接された状態で、回折格子ホルダ３０に位置決め保持される。
【００４１】
回折格子ホルダ３０には、図３及び図４に示すように、搭載面３１に搭載された回折格子１２の角を保護する等の目的で、平面視略半円状の空間である逃げ部３４が２つ形成されている。搭載面３１に搭載された回折格子１２の固定は、例えば接着剤等を用いて行われる。回折格子１２を接着固定する際の接着箇所は特に限定されるものではないが、例えば、回折格子１２の対向する２つの角部１２ａ、１２ｂ近傍が接着箇所として使用される。
【００４２】
なお、回折格子ホルダ３０には、搭載面３１に搭載された回折格子１２への光の入射と、回折格子１２からの光の出射とが可能となるように、貫通孔３５、３６が設けられている（図３参照）。
【００４３】
また、図５に示される（図３及び図４にも示される）ように、回折格子ホルダ３０には、バネ部３３が搭載面３１に向かう方向に変形する量を規制する塑性変形防止リブ３７（本発明のリブの一例）が形成されている。塑性変形防止リブ３７のバネ部３３方向への突出量は、塑性変形が発生しないように実験等によって適宜決められる。
【００４４】
この塑性変形防止リブ３７がないと、例えば、回折格子ホルダ３０をピックアップベース１０に取り付ける際や、ピックアップベース１０に取り付けられた回折格子ホルダ３０が取り外される際（リワーク時）などに、バネ部３３に大きな力が加わり、バネ部３３が塑性変形を起こすことがある。
【００４５】
この点、本実施形態の回折格子ホルダ３０のように、バネ部３３に向かって突出する塑性変形防止リブ３７が設けられる構成を採用すると、バネ部３３が一定量（塑性変形を起こす限界量、或るいは、その限界量よりも小さい量）を超えて変形する（曲がる）のを防止できるために、バネ部３３の塑性変形を防止できる。なお、塑性変形防止リブ３７が設けられる位置や、塑性変形防止リブ３７の数は、本実施形態の構成に限らず、適宜変更して構わない。
【００４６】
また、回折格子ホルダ３０には、回折格子１２の回転調整を行う際に、先端が回転中心として使用される略Ｖ字状の凸部４０と、凸部４０と対向する一端部に設けられ、調整治具（回転調整用の治具）と係合する略Ｖ字状の治具用係合部（切り欠き）４１と、が設けられる（図３及び図４参照）。また、回折格子ホルダ３０には、回折格子１２の回転調整が行われる際に、その（回折格子ホルダ３０）の回転量を規制するストッパー部３８と、回折格子ホルダ３０をピンセット等で掴みやすくする等の目的でバネ部３３に形成される持ち手部３９と、が設けられる（図３から図５参照）。
【００４７】
図６は、本実施形態の回折格子ホルダの構成を示す展開図である。図６において、破線は山折りを行う箇所を示し、一点鎖線は谷折りを行う箇所を示す。図６に示すように、回折格子ホルダ３０を構成する板金は、第１の部分Ｐ１と、第２の部分Ｐ２と、第３の部分Ｐ３と、を有する。
【００４８】
第１の部分Ｐ１は平面視略五角形状に形成され、この第１の部分Ｐ１に回折格子１２が搭載される。すなわち、第１の部分Ｐ１は、回折格子１２を搭載する搭載面３１を有する。この第１の部分Ｐ１には、上述した、平面視略円形状の貫通孔３５と、ストッパー部３８と、略Ｖ字状の凸部４０と、治具用係合部４１と、が形成される。なお、貫通孔３５と治具用係合部４１とは、板金の一部を切り欠くことによって得られる。
【００４９】
第１の部分Ｐ１に繋がる第２の部分Ｐ２（外形は略長方形状である）は、谷折りされて（第１の部分Ｐ１に対して紙面手前側に折り返されて）第１の部分Ｐ１に接触した状態で重ねられる。第２の部分Ｐ２は、主に外周側を除いて多くの部分が切り欠かれている。そして、これにより、第２の部分Ｐ２を折り返して重ねることによって板厚分の位置決め壁（段差）３２（図３等参照）が形成されるとともに、第２の部分Ｐ２を折り返しているにもかかわらず、第１の部分Ｐ１に回折格子１２が搭載されるようになっている。
【００５０】
また、第２の部分Ｐ２には、上述の逃げ部３４（図３等参照）を形成するための切り欠きも設けられている。また、第２の部分Ｐ２には、山折りする（紙面奥側に向けて折る）ことによって、上述の塑性変形防止リブ３７となる部分が形成されている。
【００５１】
第２の部分Ｐ２に繋がる第３の部分Ｐ３（外形は略長方形状である）は、山折りされて（谷折りされた第２の部分Ｐ２に対して紙面手前側に折り返されて）バネ部３３を形成する。第３の部分Ｐ３は主に外周側を除いてほとんどの部分が切り欠かれており、第３の部分Ｐ３の折り返しにより、上述の貫通孔３６が得られる。なお、この切り欠きの大きさは、光の通路を確保するためだけではなく、バネ部３３の弾性力を調整する要素としても重要であり、この点も考慮して、切り欠きの大きさは決められている。
【００５２】
また、詳細には、第３の部分Ｐ３は、前述の折り返し位置から離れた位置で弾性力の調整等を目的として若干曲げられている。また、第３の部分Ｐ３には、谷折りする（紙面手前側に向けて折る）ことによって、上述の持ち手部３９となる部分が形成されている。
【００５３】
次に、ピックアップベース１０の、回折格子ホルダ３０が取り付けられる取付部５０の構成について、図７及び図８を参照しながら説明する。図７は、本実施形態の光ピックアップにおける、回折格子ホルダが取り付けられる取付部の構成を示す概略斜視図である。図７には、破線矢印方向に向けて収容される回折格子ホルダ３０（回折格子１２を保持する）も併せて示している。図８は、図７に示す取付部に回折格子ホルダが収容された状態を示す概略斜視図である。
【００５４】
取付部５０には、回折格子ホルダ３０の搭載面３１の裏面（第１の部分Ｐ１の回折格子１２が搭載される面の裏面）に当接する第１の壁部５１と、回折格子ホルダ３０のバネ部３３（第３の部分Ｐ３）に当接する第２の壁部５２と、が形成されている。第１の壁部５１には、半導体レーザ１１（図７及び図８には図示せず；図２参照）から光が通過できるように光路孔５１ａが形成されている。第２の壁部５２には、回折格子１２から出射する光が偏光ビームスプリッタ１３（図７及び図８には図示せず；図２参照）に至るように、平面視略Ｕ字状の切り欠き５２ａが形成されている。
【００５５】
また、第１の壁部５１の上部には、接着剤を充填する接着剤充填部５３が設けられている。また、取付部５０の底面には、第１の壁部５１と第２の壁部５２とを結ぶ方向へと延びる断面視略Ｖ字状の溝部５４が形成されている。なお、溝部５４が延びる方向は、回折格子１２を通過する光の進行方向と略平行な方向である。
【００５６】
取付部５０に回折格子ホルダ３０を取り付ける際には、バネ部３３を弾性変形させて回折格子ホルダ３０の厚みを小さくする。なお、この際、バネ部３３は塑性変形防止リブ３７の存在により、厚みを小さくする方向に所定の量以上曲げられることがないので、取り付け時に回折格子ホルダ３０が塑性変形する可能性は低い。
【００５７】
厚みを小さくされた回折格子ホルダ３０は、図７の破線矢印方向に降ろされて取付部５０内に収容される。この際、回折格子ホルダ３０の略Ｖ字状の凸部４０の先端が、溝部５４の最深部（Ｖ字の先端）に係合するように、回折格子ホルダ３０は取付部５０に収容される。取付部５０に収容後は、回折格子ホルダ３０は、バネ部３３の弾性力によって第１の壁部５１及び第２の壁部５２の押し付けられた状態となる。
【００５８】
なお、上述のように、回折格子１２は、光ディスクＤの情報記録面ＲＳ上に形成される３つの光スポットの位置が狙いの位置となるように、回転調整される必要がある。このために、バネ部３３は、回折格子ホルダ３０が取付部５０から容易に外れることがないという条件とともに、回折格子ホルダ３０の回転による回折格子１２の回転調整ができるという条件を満たすように、その弾性力が調整されている。
【００５９】
この回転調整は、光ピックアップ１の組み立て作業の最終段階に行われる。具体的には、ピックアップベース１０に光学部品１２〜１８、半導体レーザ１１、光検出器１９を取り付けて、主光を用いて光検出器１９の位置調整を行った後に、副光が狙いの位置となるように回折格子ホルダ３０を回転して回折格子１２の回転調整が行われる。
【００６０】
回折格子ホルダ３０は、回折格子１２の回転調整が終了すると、調整された位置から動かないようにピックアップベース１０に固着される。例えば、回転調整を行う段階で紫外線硬化型の接着剤（ＵＶ接着剤）５５（図８参照）を接着剤充填部５３に入れておき、回転調整が済んだ段階で紫外線を照射して固着するといった方法で、回折格子ホルダ３０のピックアップベース１０への固着が行われる。
【００６１】
ここで、回折格子１２の回転調整について、図９を参照して説明しておく。図９は、本実施形態の光ピックアップにおける、回折格子ホルダと取付部の溝部との関係を示した模式図である。図９に示すように、回折格子１２の回転調整を行う際には、調整治具（調整ピン）６０を回折格子ホルダ３０の治具用係合部４１に係合させる。そして、光スポットの位置が所定の位置となるように、調整治具６０を用いて、回折格子ホルダ３０を、Ｖ字状の凸部４０の先端が回転中心となるようにして回転させる（図９の左右方向に調整ピン６０を動かす）。
【００６２】
回折格子ホルダ３０がＶ字状の凸部４０の先端を中心として回転できるように、取付部５０の溝部５４のＶ字形状は、回折格子ホルダ４０の凸部４０の傾斜よりもなだらかとなっている。また、回折格子ホルダ３０の側面部に設けられるストッパー部３８の存在により、回折格子ホルダ３０は必要以上に回転されることがない。
【００６３】
なお、回折格子ホルダ３０に設けられる持ち手部３９は、回折格子ホルダ３０が取付部５０に収容された状態で第２の壁部５２に形成される平面視略Ｕ字状の切り欠き５２ａ内へと突出している（図８参照）。このため、この持ち手部３９を回折格子ホルダ３０の回転量を規制するストッパーとして機能させることができる。すなわち、場合によっては、ストッパー部３８に代えて持ち手部３９をストッパー部としてもよい。
【００６４】
以上説明したように、本実施形態においては、回折格子ホルダ３０が板金を用いて構成されている。このために、回折格子ホルダを樹脂で形成する場合のように、別途スプリングを容易する必要がなく、低コスト化を図り易い。また、板金の折り返しによってできる板厚分の段差を位置決め壁３２として利用する構成となっている。このために、回折格子１２を回折格子ホルダ３０に搭載する作業が容易である。また、本実施形態の回折格子ホルダ３０は板金の加工で容易に得られ、更に、それが取り付けられる取付部５０の構成も簡単な構成とできる。
【００６５】
また、ピックアップベース１０の取付部５０に取り付けた回折格子ホルダ３０を再調整等の目的で取り外すリワーク時においては、図１０に示す矢印Ｂ方向に大きな荷重がかかり易い。図１０（ｂ）に示すように、回折格子ホルダ３０´に塑性変形防止リブ３７が設けられていない場合には、前述の大きな荷重によってバネ部３３´が大きく変形して塑性変形が発生する可能性が高い。一方、図１０（ａ）に示すように、回折格子ホルダ３０に塑性変形防止リブ３７が設けられている本実施形態の構成では、バネ部３３と塑性変形防止リブ３７との接触により、バネ部３３の変形量が規制され、塑性変形が防止できる。なお、図１０は、本実施形態の回折格子ホルダに設けられる塑性変形防止リブの作用を説明するための図で、図１０（ａ）は本実施形態の構成を示す図、図１０（ｂ）は比較用に示した参考図である。
【００６６】
以上に示した実施形態は本発明の一例であり、本発明の光学素子ホルダ及び光ピックアップは以上に示した構成に限定されるものではない。
【００６７】
例えば、以上に示した実施形態では、回折格子ホルダ３０が、ストッパー部３８及び持ち手部３９を有する構成とした。しかしながら、これらのうちの少なくとも１つが無い構成も本発明に含まれる。
【００６８】
また、以上に示した実施形態では、回折格子ホルダ３０が備える塑性変形防止リブ３７が第２の部分Ｐ２に設けられる構成としたが、この構成に限定されるものではない。すなわち、例えば塑性変形防止リブ３７が第１の部分Ｐ１に設けられる構成等しても構わない。
【００６９】
また、以上に示した実施形態では、本発明の光学素子ホルダが回折格子ホルダである場合を示した。しかし、本発明の光学素子ホルダは、回折格子以外の、回転調整が必要な光学素子用のホルダとして広く適用できるものである。また、本発明の光学素子ホルダが適用される対象は、光ピックアップに限定されず、他の光学装置であってもよいのは当然である。更に、本発明の光学素子ホルダが適用される光ピックアップは、本実施形態の構成とは異なり、複数種類の光ディスクに対応するものであってもよい。
【産業上の利用可能性】
【００７０】
本発明の光学素子ホルダは、回転調整が必要な光学素子に対して好適であり、例えば、光ピックアップに備えられる回折格子を保持する回折格子ホルダとして好適である。
【符号の説明】
【００７１】
１  光ピックアップ
１０  ピックアップベース（取付部を含む）
１２  回折格子（光学素子）
３０  回折格子ホルダ（光学素子ホルダ）
３１  搭載面
３２  位置決め壁
３３  バネ部
３７  塑性変形防止リブ
３８  ストッパー部
４０  凸部（略Ｖ字状の凸部）
４１  治具用係合部
５０  取付部
５４  溝部
６０  調整治具
Ｐ１  第１の部分
Ｐ２  第２の部分
Ｐ３  第３の部分            
【図１】
0005370384.tif 000002
【図２】
0005370384.tif 000003
【図３】
0005370384.tif 000004
【図４】
0005370384.tif 000005
【図５】
0005370384.tif 000006
【図６】
0005370384.tif 000007
【図７】
0005370384.tif 000008
【図８】
0005370384.tif 000009
【図９】
0005370384.tif 000010
【図１０】
0005370384.tif 000011
【図１１】
0005370384.tif 000012
【図１２】
0005370384.tif 000013